(57)【要約】【課題】  読み出しエラーが発生した場合に、光ディスクの状態によることなく、より確実に光ディスクに記録されている情報の読出しが可能な光ディスク装置を提供する。【解決手段】  制御部２は、所定アドレスでのシーク動作を行った時点で、エラー検出データが入力されると、エラー検出回数をカウントアップする（Ｓ６→Ｓ１１）。そして、制御部２は、このカウント数に応じて、エラー検出されたアドレスよりも所定量手前のアドレスから情報読出を行うためのリトライシーク制御信号を生成して、情報読取部１のサーボ回路１３に出力する（Ｓ１２→Ｓ１３，Ｓ１４，Ｓ１５）。ここで、カウント数に応じた各リトライシーク制御により指定されるアドレスはカウント数の増加に応じて、順にエラー検出されたアドレスより離れたアドレスが設定がされる。【選択図】  図２
2005302176.tif 000002
【特許請求の範囲】
【請求項１】
光ディスクに記録されている情報をシーク動作を行いながら読み出す情報読出手段と、
読み出された情報を一時記憶する記憶手段と、
前記情報読出手段に対してシーク制御および読み出し制御を行い、前記記憶手段に対して書き込み制御、および読み出し制御を行う制御手段とを備えた光ディスク装置において、
前記制御手段は、
（１）前記光ディスクの情報の読み出し時に、前記情報読出手段から読出エラー検出信号が入力されると、エラー検出されたアドレスに対する所定量手前のリトライアドレスからシーク動作を行い、以後、同じアドレスに対する読出エラー検出信号が入力されると、直前のリトライアドレスよりさらに所定量手前のリトライアドレスからシーク動作を行い、
（２）前記リトライアドレスからのシーク動作により読み出された情報のうち、前記エラーが検出されたアドレスより手前のアドレスの情報を前記記憶手段に書き込まず、
（３）所定回数、リトライシーク動作を行った時点で、読出エラー検出信号が入力された場合に、前記エラーが検出されたアドレスに対する所定量先のビデオオブジェクト単位の先頭アドレスからのシーク動作を行う、ことを特徴とする光ディスク装置。
【請求項２】
光ディスクに記録されている情報をシーク動作を行いながら読み出す情報読出手段と、
読み出された情報を一時記憶する記憶手段と、
前記情報読出手段に対してシーク制御および読み出し制御を行い、前記記憶手段に対して書き込み制御、および読み出し制御を行う制御手段とを備えた光ディスク装置において、
前記制御手段は、前記光ディスクの情報の読み出し時に、前記情報読出手段から読出エラー検出信号が入力されると、エラー検出されたアドレスに対する所定量手前のリトライアドレスからのシーク動作を行い、以後、同じアドレスに対する読出エラー検出信号が入力されると、前記エラー検出されたアドレスに対して手前で、且つ、以前のリトライアドレスとは異なるアドレスからシーク動作を行うことを特徴とする光ディスク装置。
【請求項３】
前記制御手段は、前記光ディスクの情報の読み出し時に、前記情報読出手段から読出エラー検出信号が入力されると、エラー検出されたアドレスに対する所定量手前のリトライアドレスからシーク動作を行い、以後、同じアドレスに対する読出エラー検出信号が入力されると、直前のリトライアドレスよりさらに所定量手前のリトライアドレスからシーク動作を行うことを特徴とする請求項２に記載の光ディスク装置。
【請求項４】
前記制御手段は、前記リトライアドレスからのシーク動作により読み出された情報のうち、前記エラーが検出されたアドレスより手前のアドレスの情報を前記記憶手段に書き込まない請求項２または請求項３に記載の光ディスク装置。
【請求項５】
前記制御手段は、所定回数、リトライシーク動作を行った時点で、読出エラー検出信号が入力された場合に、前記エラーが検出されたアドレスに対する所定量先のアドレスからのシーク動作を行う請求項２〜請求項４のいずれかに記載の光ディスク装置。
【請求項６】
前記制御手段は、前記所定量先のアドレスでのリトライシーク動作を行う場合のアドレス検出にビデオオブジェクト単位の先頭アドレスを用いる請求項５に記載の光ディスク装置。
【発明の詳細な説明】
【技術分野】
【０００１】
この発明は、光ディスクに記録されている情報を読み出して再生する光ディスク装置、特に、この光ディスク装置の情報読み出しエラー時のリトライ動作に関するものである。
【背景技術】
【０００２】
ＤＶＤやＣＤ等の光ディスクに記録されている情報を読み出して再生する光ディスク装置では、光ディスクの記録面に傷が存在する等の理由で情報を読み出すことができない場合に、リトライ読出動作を行う装置がある。
【０００３】
例えば、このようなリトライ読出動作を行う光ディスク装置としては、光ディスクに記録されている情報の再生時で読み出しエラーが検出された時にのみ、エラーが検出されたアドレスに対して所定量手前から再生のシーク動作を行う装置が考案されている（特許文献１参照。）。
【特許文献１】特開２００２−１８３９７２公報
【発明の開示】
【発明が解決しようとする課題】
【０００４】
ところが、前述の従来の光ディスク装置では、所定アドレスでエラーが検出され、このアドレスよりも所定量手前のアドレスから再生のシーク動作を行う場合に、光ディスクの記録面の傷等の状態によっては、前記所定量手前のアドレスから情報を読み出しても、所定アドレスの情報を読み出せないことがある。また、指定した前記所定量手前のアドレスに対応する記録面の記録位置にも傷等の読出エラー要因が存在する場合には、さらに情報の読み出しが難しくなってしまう。そして、このような場合、この所定量手前のアドレスで繰り返しリトライ動作を行っても、光ディスクの情報を読み出すことは難しい。
【０００５】
この発明の目的は、読出エラーが発生した場合に、光ディスクの状態によることなく、より確実に光ディスクに記録されている情報を読み出すことができる光ディスク装置を提供することにある。
【課題を解決するための手段】
【０００６】
この発明は、光ディスクに記録されている情報をシーク動作を行いながら読み出す情報読出手段と、読み出された情報を一時記憶する記憶手段と、情報読出手段に対してシーク制御および読み出し制御を行い、記憶手段に対して書き込み制御、および読み出し制御を行う制御手段とを備えた光ディスク装置において、制御手段が、光ディスクの情報の読み出し時に、情報読出手段から読出エラー検出信号が入力されると、エラー検出されたアドレスに対する所定量手前のリトライアドレスからシーク動作制御を行い、以後、同じアドレスに対する読出エラー検出信号が入力されると、エラー検出されたアドレスに対して手前で、且つ、以前のリトライアドレスとは異なるアドレスからシーク動作制御を行うことを特徴としている。
【０００７】
この構成では、シーク動作制御時に、制御手段は、読出エラー検出信号が入力されると、読出エラーが検出されたアドレス（以下、「エラー初期検出アドレス」と称す。）よりも、所定量手前のアドレスから読み出しを行う第１リトライシーク動作制御を行う。情報読出手段は、この第１リトライシーク動作制御により指定されたアドレスからエラー初期検出アドレスへ順に情報を読み出す。そして、制御手段は、この第１リトライシーク動作制御時にもエラー初期検出アドレスで再度エラー検出信号が入力されると、第１リトライシーク動作制御により指定したアドレスとは異なり、エラー初期検出アドレスより手前のアドレスから読み出しを行う第２リトライシーク動作制御を行う。そして、制御手段は、エラー初期検出アドレスの情報を読み出すことができるまで、または、所定回数に亘り、前述のリトライシーク動作制御を行う。これにより、リトライ読み出しを繰り返す毎に、リトライシーク動作制御で指定されたアドレス、すなわち、読み出し開始アドレスが異なる。情報読出手段は、記録トラック上に連続して記録された情報の方が離間して記録された情報よりも読み出し易いので、前述の読出開始アドレスを順次異ならせてリトライ読み出しを行うことで、エラー初期検出アドレスの情報を読み出し易くなる。
【０００８】
また、この発明は、制御手段が光ディスクの情報の読み出し時に情報読出手段から読出エラー検出信号が入力されると、エラー検出されたアドレス（エラー初期検出アドレス）に対する所定量手前のリトライアドレスからシーク動作制御を行い、以後、同じアドレスに対する読出エラー検出信号が入力されると、直前のリトライアドレスよりさらに所定量手前のリトライアドレスからシーク動作を行うことを特徴としている。
【０００９】
この構成では、シーク動作制御時に、制御手段は、読出エラー検出信号が入力されると、エラー初期検出アドレスよりも、所定量手前のアドレスから読み出しを行う第１リトライシーク動作制御を行う。情報読出手段は、この第１リトライシーク動作制御により指定されたアドレスからエラー初期検出アドレスへ順に情報を読み出す。そして、制御手段は、この第１リトライシーク動作制御時にもエラー初期検出アドレスで再度エラー検出信号が入力されると、第１リトライシーク動作制御により指定したアドレスよりも、さらに、所定量手前のアドレスから読み出しを行う第２リトライシーク動作制御を行う。そして、制御手段は、エラー初期検出アドレスの情報を読み出すことができるまで、または、所定回数に亘り、前述のリトライシーク動作制御を行う。これにより、リトライ読み出しを繰り返す毎に、シーク動作制御で指定されたアドレス、すなわち、読み出し開始アドレスが異なる。情報読出手段は、記録トラック上に連続して記録された情報の方が離間して記録された情報よりも読み出し易いので、前述の読出開始アドレスを順次異ならせてリトライ読み出しを行うことで、エラー初期検出アドレスの情報を読み出し易くなる。また、エラー初期検出アドレスから近い側のアドレスから順に読出開始アドレスを指定するため、リトライ動作の繰り返しの初期時点でエラー初期検出アドレスから読み出されれば、ランダムに読み出し開始アドレスを指定したり、遠い側から読み出し開始アドレスを指定するよりもリトライ動作に係る時間が短縮される。
【００１０】
また、この発明は、制御手段が、リトライアドレスからのシーク動作により読み出された情報のうち、エラーが検出されたアドレス（エラー初期検出アドレス）より手前のアドレスの情報を記憶手段に書き込まないことを特徴としている。
【００１１】
この構成では、リトライシーク動作により、エラー初期検出アドレスよりも所定量手前のアドレスからエラー初期検出アドレスまでの間の情報が制御手段に入力されるが、これらの読み出された情報は現在再生の対象として読み出している情報とは異なり、不必要なものであるので、制御手段はこれらの情報を記憶手段に記憶させない。これにより、リトライシーク動作により得られる必要な情報のみが記憶手段に記憶される。
【００１２】
また、この発明は、制御手段が、所定回数に亘りリトライシーク動作を行った時点で、読出エラー検出信号が入力された場合に、エラーが検出されたアドレス（エラー初期検出アドレス）に対する所定量先のアドレスからシーク動作を行うことを特徴としている。
【００１３】
この構成では、制御手段は、エラー初期検出アドレスより手前のアドレスからのリトライシーク動作を所定回数行っても、エラー初期検出アドレスでエラーが検出されれば、このアドレスの情報は事実上読み出すことが不可能であると判断する。そして、制御手段は、エラー初期検出アドレスの情報の読み出しを中止して、このエラー初期検出アドレスよりも読み出し可能性が高いであろう先のアドレスの情報を読み出すシーク動作制御を行う。このように、前述のリトライシーク動作が所定回数で強制的に終了されることで、エラー初期検出アドレスの情報の読み出しを半永久的に続けることなく、次に指定されたアドレスの情報が読み出される。これにより、記録面の傷等のために読出が事実上不可能なアドレスの読出を半永久的に繰り返し行うことがない。
【００１４】
また、この発明は、制御手段が、所定量先のアドレスからのシーク動作を行う場合のアドレス検出にビデオオブジェクト単位の先頭アドレスを用いることを特徴としている。
【００１５】
この構成では、前述のエラー初期検出アドレスより先のアドレスから情報を読み出す場合に、制御手段は、エラー初期検出アドレスに関連するビデオオブジェクト単位とは異なるビデオオブジェクト単位の先頭アドレスを指定する。これにより、読み出すことができなかった情報を含むビデオオブジェクト単位の読み出しが省略され、問題が無いであろう次のビデオオブジェクト単位から読み出しが行われる。
【発明の効果】
【００１６】
この発明によれば、リトライシーク動作毎に異なる読出開始アドレスから情報の読み出しを行うことで、エラー検出されたアドレスでの情報が読み出される可能性が増加する。これにより、光ディスクの状態によることなく、より確実に情報を読み出す光ディスク装置を構成することができる。
【００１７】
また、この発明によれば、リトライシーク動作時にエラー検出されたアドレスに近いアドレスから順に指定することで、前述の効果を奏するとともに、リトライ読取動作に要する時間を短縮することができる。
【００１８】
また、この発明によれば、リトライシーク動作時に取得した情報のうち、エラー検出されたアドレスよりも手前のアドレスの情報が記憶手段に記憶されないので、記憶手段の記憶容量を有効に使用することができるとともに、記憶手段への書き込み時間が短縮され、リトライ読取動作時間を短くすることができる。
【００１９】
また、この発明によれば、記録面の傷等のために読み出しが事実上不可能なエラー検出されたアドレスの情報の読み出しを半永久的に続けることなく、次に指定されたアドレスの情報を読み出すことで、リトライシーク動作を省略してリトライシーク動作時間を短縮することができる。
【００２０】
また、この発明によれば、読み出しが事実上不可能なエラー検出されたアドレスの情報を含むビデオオブジェクト単位の読み出しが省略されて、次のビデオオブジェクト単位から読み出しが行われるので、シーク動作が省略されて、シーク動作時間を短縮することができる。
【発明を実施するための最良の形態】
【００２１】
本発明の実施形態に係る光ディスク装置について図を参照して説明する。
【００２２】
図１は、本実施形態に係る光ディスク装置の概略構成を示すブロック図である。
【００２３】
光ディスク装置は、情報読出部１、制御部２、データ変換部３、本発明の「記憶手段」に相当するメモリ４、操作部５、および入力部６を備えている。情報読出部１は、光ピックアップ１１、ＲＦアンプ１２、データ再生回路１３、サーボ回路１４、ドライバ回路１５、ターンテーブル１６、スピンドルモータ１７、トラバース機構１８、ステッピングモータ１９を備えている。
【００２４】
光ピックアップ１１は、図示しないレーザダイオード、コリメータレンズ、ビームスプリッタ、対物レンズ、フォトディテクタを備えており、光ディスク１００に対してレーザダイオードからレーザ光を照射し、光ディスク１００からの反射光をフォトディテクタで電気信号に変換することによって、光ディスク１００に記録されている情報を光学的に読み出す。フォトディテクタは、例えば、受光領域がほぼ均等に４分割されており、４つの受光領域からの電気信号をＲＦアンプ１２に出力する。また、光ピックアップ１１は、光ディスク１００に照射するレーザ光の焦点をその光軸方向に移動させるフォーカシングアクチュエータ（図示せず）と、前記レーザ光を光ディスク１００の半径方向に移動させるトラッキングアクチュエータ（図示せず）とを備えている。そして、フォーカシング制御およびトラッキング制御を行うことで、レーザ光を所望の記録トラックに追随させるとともにこの記録トラックにレーザ光の焦点を合わせる。
【００２５】
ＲＦアンプ１２は、光ピックアップ１１が読み出した信号を増幅してデータ再生回路１３に出力するとともに、フォーカシングエラー信号とトラッキングエラー信号とを生成してサーボ回路１４に出力する。
【００２６】
データ再生回路１３は、ＲＦアンプ１２から出力される信号に復調処理、誤り検出及び訂正処理などを施すことにより情報を所定形式のディジタルデータに再生する。また、データ再生回路１３は、ＲＦアンプ１２から出力される信号から光ディスク１００の回転数を示す信号を生成してサーボ回路１４へ出力する。
【００２７】
サーボ回路１４は、ＲＦアンプ１２が出力したＦＥ信号、ＴＥ信号に基づいて、ＦＥ信号の値を０（基準レベル）にするためのフォーカシング駆動信号、ＴＥ信号の値を０（基準レベル）にするためのトラッキング駆動信号及びトラバース駆動信号を生成してドライバ回路１５に出力する。また、サーボ回路１４は、データ再生回路１３が出力する光ディスク１００の回転数を示す信号に基づいて、光ディスク１００の回転数を目標値にするためのスピンドルモータ駆動信号を生成しドライバ回路１５に出力する。また、サーボ回路１４は、制御部２から入力されるシーク制御信号に基づいて、光ピックアップ１００を所定位置に移動させるためのトラバース駆動信号を生成してドライバ回路１５に出力する。
【００２８】
ドライバ回路１５は、フォーカシング駆動信号に基づいて光ピックアップ１内のフォーカシングアクチュエータを駆動し、トラッキング駆動信号に基づいてトラッキングアクチュエータを駆動する。また、ドライバ回路５は、トラバース駆動信号に基づいて光ピックアップ１１を光ディスク１００の半径方向に移動させるトラバース機構１８に備えられたステッピングモータ１９を駆動し、スピンドルモータ駆動信号に基づいて光ディスク１００を載置するターンテーブル１６を所定回転数で回転させるスピンドルモータ１７を駆動する。
【００２９】
制御部２は、例えばマイクロコンピュータで構成されており、光ディスク装置に対してユーザが入力した命令に応じて光ディスク装置の各構成要素を制御する。また、制御部２は、操作部５からの再生操作命令に従い、光ピックアップ１１にデータ読出制御信号を出力するとともに、光ディスク１００の記録トラックの所定アドレス位置に光ピックアップ１１からのレーザ光が照射するように、光ピックアップ１１をシー駆動させるシーク制御信号をサーボ回路１３に出力する。また、制御部２はデータ再生回路１３から出力されたディジタルデータをメモリ４に一時記憶し、再度読み出してデータ変換部３に出力する。
【００３０】
データ変換部３は、入力されたディジタルデータを出力端子（図示せず）の仕様に応じた信号に変換して出力する。
【００３１】
操作部５は、ユーザが光ディスク装置に対して各種の命令を入力するためのものである。光ディスク装置に対してユーザが入力した命令は制御部２に出力される。
【００３２】
表示部６は、光ディスク装置の動作状態を示す情報、再生中のデータに関する情報などを表示する。
【００３３】
ところで、光ディスク装置は、前述の従来技術に示したようにシーク動作時に光ディスク記録面に記録されている情報を読み出すことができない場合がある。そこで、本発明の光ディスク装置では、次に示す制御を行っている。
【００３４】
図２は、本実施形態に係る光ディスク装置の制御部２の情報読出処理を示すフローチャートである。
【００３５】
操作部５によるデータ再生操作が入力されると、制御部２は、データ読出制御信号を生成して光ピックアップ１１に出力するとともに、シーク制御信号を生成してサーボ回路１４に出力する（Ｓ１）。そして、光ピックアップ１１が所定位置に移動し、光ディスク１００の記録トラックの所定セクタのアドレスから情報を光学的に読み出す。この際、光ディスク１００に記録されている情報を読み出していれば、読み出した情報がデータ再生回路１３で再生されて制御部２に出力される。一方、光ディスク１００の記録面の傷等により記録されている情報を読み出すことができなければ、エラー検出データが制御部２に出力される。なお、エラー検出方法について既知の方法を用いており、その説明は省略する。次に、制御部２は、今回のデータ入力がリトライシーク制御によるものかどうかを後述するカウント回数等により検出して（Ｓ３）、リトライシーク制御によるものであれば、エラー検出アドレスより手間のアドレスに対応する読出データを消去する（Ｓ４→Ｓ５）。次に、制御部２は、入力されたデータが読出データであるか、エラー検出データであるかを判断して、読出データであればメモリ４に書き込む（Ｓ６→Ｓ７）。
【００３６】
一方、入力されたデータがエラー検出データであれば、エラー検出回数をカウントアップ（ｎ＝１）して（Ｓ１１）、このエラー検出回数に応じた、次に示す処理を行う（Ｓ１２）。
【００３７】
（１）まず、所定アドレスでの最初のエラー検出の場合（ｎ＝１）には、制御部２は、このエラー検出アドレスより所定量手前（本実施形態では、１６進数で２０セクタ手前）から読出制御を行うリトライシーク制御信号をサーボ回路１４に出力する（Ｓ１３）。サーボ回路１４はこのリトライシーク制御信号に従い、光ピックアップ１１を前述のエラー検出アドレスよりも２０ｈセクタ手前のアドレスに対応する位置に移動させる駆動信号を生成し、ドライバ回路１５に出力する。ドライバ回路１５はこの駆動信号に従い、ステッピングモータ１９を駆動して光ピックアップ１１を所定位置に移動させる。そして、この位置でフォーカス制御およびトラッキング制御を行って、光ディスク１００に記録されている情報を読み出す。この際、エラー検出アドレスよりも手前のアドレスから読み出しを行っているので、制御部２はエラー検出アドレスまでのアドレスから読み出された読出データを消去する（Ｓ２→Ｓ３→Ｓ４→Ｓ５）。そして、読出データであるかエラー検出データであるかを判断し（Ｓ６）、読出データであればメモリ４に書き込む。
【００３８】
（２）１度目のリトライシーク制御でもエラー検出された場合（ｎ＝２）には、制御部２は、１度目のリトライシーク制御により指定したアドレスよりさらに所定量手前（本実施形態では、１６進数で２０セクタ手前、すなわち、エラー検出アドレスより１６進数で４０セクタ手前）から読出制御を行うリトライシーク制御信号をサーボ回路１４に出力する（Ｓ１４）。以下、各部の駆動制御および読出制御は（１）に示した１度目のリトライシーク制御と同じであるので説明は省略する。そして、２度目のリトライシーク制御で読出データが取得されれば、制御部２はメモリ４に読出データを書き込む（Ｓ６→Ｓ７）。
【００３９】
（３）２度目のリトライシーク制御でもエラー検出された場合（ｎ＝３）には、制御部２は、２度目のリトライシーク制御により指定したアドレスよりさらに所定量手前（本実施形態では、１６進数で２０セクタ手前、すなわち、エラー検出アドレスより１６進数で６０セクタ手前）から読出制御を行うリトライシーク制御信号をサーボ回路１４に出力する（Ｓ１５）。以下、各部の駆動制御および読出制御は（１）、（２）に示した１度目、２度目のリトライシーク制御と同じであるので説明は省略する。そして、３度目のリトライシーク制御で読出データが取得されれば、制御部２はメモリ４に読出データを書き込む（Ｓ６→Ｓ７）。
【００４０】
（４）３度目のリトライシーク制御でもエラー検出された場合（ｎ＝４）には、制御部２は、エラー検出アドレスよりも所定セクタ先のアドレスから読出制御を行う飛び越しシーク制御信号をサーボ回路１４に出力する（Ｓ１６）。この際、制御部２は、飛び越し先のアドレスとして、ビデオオブジェクト単位（ＶＯＢＵ）の先頭アドレスを指定する。そして、制御部２はカウント値を初期化し（Ｓ１７）、入力されたデータが読出データであるかエラー検出データであるかを判断して、読出データであればメモリ４に読出データを書き込む（Ｓ２→Ｓ３→Ｓ４→Ｓ６→Ｓ７）。そして、更にエラー検出信号が入力されれば、前述の（１）〜（４）の制御を繰り返し、読出データを取得する。
【００４１】
このように、エラー検出アドレスの情報に対して、このエラー検出アドレスよりも手前のアドレスで且つ異なる複数のアドレスから順次読み出しを行うことで、従来のように同じ位置から繰り返し読み出しを行うよりも確実にエラー検出アドレスの情報（読出データ）を取得することができる。
【００４２】
また、繰り返し回数が増加する毎に、読出開始アドレスを順にエラー検出アドレスから離すことで、繰り返し回数が少ない内に読み出しができた場合に、読出開始アドレスをランダムに設定する方法や、エラー検出アドレスから大きく離間されたアドレスから順にエラー検出アドレスへ読出開始アドレスを近づけるよりも、リトライシーク制御に係る時間を短縮することができる。
【００４３】
また、リトライ読出制御時に、エラー検出アドレスよりも手前のアドレスに記録された読出データをメモリに書き込まないことで、メモリ容量を有効に利用することができるとともに、メモリへの書き込み時間を短縮し、ひいてはリトライシーク制御に係る時間を短縮することができる。
【００４４】
また、飛び越しシーク制御時に、ビデオオブジェクト単位（ＶＯＢＵ）を基準とすることで、エラー検出アドレスに対応するビデオオブジェクト単位（ＶＯＢＵ）の未読出部分の読出を省略することができ、読出制御時間を短縮することができる。
【００４５】
なお、前述の実施形態では、１６進数で２０セクタ、４０セクタ、６０セクタの順に読出開始アドレスを設定したが、これらの設定値に限ることなく、装置等の仕様に応じて任意に設定することができる。
【００４６】
また、前述の実施形態では、各リトライシーク制御の間で増加設定するセクタ数が同じ場合について説明したが、増加させるセクタ数はそれぞれ異ならせても良い。
【００４７】
さらに、前述の実施形態では、３回のリトライ回数で飛び越しシーク制御に切り替わる場合を説明したが、リトライ回数は複数回であればよく、その回数は任意に設定することができる。
【図面の簡単な説明】
【００４８】
【図１】本発明の実施形態に係る光ディスク装置の概略構成を示すブロック図
【図２】本発明の実施形態に係る光ディスク装置の制御部２の情報読み出し処理を示すフローチャート
【符号の説明】
【００４９】
１００−光ディスク
１−情報読み出し部
１１−光ピックアップ
１２−ＲＦアンプ
１３−データ再生回路
１４−サーボ回路
１５−ドライバ回路
１６−ターンテーブル
１７−スピンドルモータ
１８−トラバース機構
１９−ステッピングモータ
２−制御部
３−データ変換部
４−メモリ
５−操作部
６−表示部
【図１】
2005302176.tif 000003
【図２】
2005302176.tif 000004